(57)【要約】【課題】物掛け具を取り付ける取り付け箇所の表裏両面に収納具を取り付けることが可能であり、或いは表裏両面に小物等の物品を引っ掛け、また吊り下げることが出来るようにした物掛け具を提供すること。【解決手段】１本の線材を曲げた形状により構成された物掛け具であって、該物掛け具の略中央部に形成され、支持部材に係止可能な係止部と、該係止部の両側に形成され、それぞれ被引掛け物を引っ掛けて吊り下げることが可能なフック部とを備えるようにした。【選択図】  図１
2011234764.tif 000002
【特許請求の範囲】
【請求項１】
１本の線材を曲げた形状により構成された物掛け具であって、
該物掛け具の略中央部に形成され、支持部材に係止可能な係止部と、
該係止部の両側に形成され、それぞれ被引掛け物を引っ掛けて吊り下げることが可能なフック部とを備えることを特徴とする物掛け具。
【請求項２】
係止部は、略逆Ｕ字型の形状となされ、
フック部は、それぞれ略Ｕ字型の形状となされていることを特徴とする請求項１記載の物掛け具。
【発明の詳細な説明】
【技術分野】
【０００１】
本発明は、収納具や衣類、小物などを掛ける（或いは吊るす）ために使用される物掛け具に関するものである。
【背景技術】
【０００２】
いうまでもなく、従来から様々な物掛け具が利用されている。それら物掛け具は、例えばその取り付け場所や、取り付け方法などによって、形状や形態、寸法などが変わってくるものであり、また当該物掛け具に掛ける物品の種類やカタチ、重量などによっても形状や強度、寸法などが異なってくる。
【０００３】
すなわち、取り付け場所や取り付け方法としては、例えば壁面にネジや接着剤などで固定して使用するものや、棚や棒状体、或いは物掛け具取り付け用に形成された孔などに物掛け具を一時的に引っ掛けて使用するものなどがあり、それぞれに形状等が異なってくる。そして、前記一時的に引っ掛けて使用する物掛け具は、一般家庭において非常に多く使用されており、様々な形態が提案されている（下記特許文献１、２ほか多数）。
【０００４】
例えば図１２〜１３に示すように、所謂スチールラック(パイプラック)Ｒのメッシュ部分に引っ掛けて使用するフックＦ１がしばしば利用される。また、図１４〜１５に示す収納装置Ｎは、本出願人が提案する収納装置であり、複数のベルト部材Ｂに形成された係止孔Ｂ１１に収納部Ｓ５を取り付けて使用するものであるが、この収納装置Ｎの係止孔Ｂ１１に図１２に示すように所謂Ｓ字型フック（物掛け具）Ｆ２を取り付け、さらに当該Ｓ字型フックＦ２に収納部Ｓ５〜Ｓ７を取り付けて（図１５）使用することができるものである。
【先行技術文献】
【特許文献】
【０００５】
【特許文献１】特開２０００−１５３９８５号公報
【特許文献２】意匠登録第７３６６６４号公報
【発明の概要】
【発明が解決しようとする課題】
【０００６】
これらの物掛け具は、確かに簡単な構成で収納の場所を増やしたり、収納スペースを拡張できるので有用である。しかしながら、例えば上記スチールラックのメッシュ部分に引っ掛けられた物掛け具の背面側、あるいは上記収納装置の収納具の背面側は十分に利用されずデッドスペースになっていた。この点、複数の物掛け具を用いて表裏面に収納具や小物などを引っ掛けることも可能ではあるが、多くの物掛け具を必要とし、また表裏面で物掛け具の取り付け位置を上下あるいは左右にずらす必要が生じる。
【０００７】
本発明は、上記のような問題点を克服するためになされたものであって、物掛け具を取付ける取り付け箇所の表裏両面に収納具を取付けることが可能であり、或いは表裏両面に小物等の物品を引っ掛け、また吊り下げることが出来るようにした物掛け具を提供することを目的とする。
【課題を解決するための手段】
【０００８】
上記の課題を解決するため、本発明に係る物掛け具は、１本の線材を曲げた形状により構成された物掛け具であって、該物掛け具の略中央部に形成され、支持部材に係止可能な係止部と、該係止部の両側に形成され、それぞれ被引掛け物を引っ掛けて吊り下げることが可能なフック部とを備えることを特徴とする。
【０００９】
本発明に係る物掛け具によれば、物掛け具を取り付ける取付箇所の表裏両面に小物等の物品を引っ掛けたり吊るしたりすることができ、或いは収納具を取り付けたりすることが可能となる。
【００１０】
また、本発明に係る物掛け具において、係止部は、略逆Ｕ字型の形状となされ、フック部は、それぞれ略Ｕ字型の形状となされているようにすることもできる。
【００１１】
このようにすれば、非常に簡単な構成で、上記の通り、物掛け具を取り付ける取付箇所の表裏両面に小物等の物品を引っ掛けたり吊るしたりすることができ、或いは収納具を取付けたりすることが可能な物掛け具を提供することができる。
【発明の効果】
【００１２】
以上のとおり、本発明に係る物掛け具によれば、物掛け具を取り付ける取付箇所の表裏両面に小物等の物品を引っ掛けたり吊るしたりすることができ、或いは収納具を取付けたりすることが可能となる。
【図面の簡単な説明】
【００１３】
【図１】本発明に係る物掛け具の一実施形態を示す斜視図である。
【図２】図１に示す物掛け具の正面図である。
【図３】同じく図１に示す物掛け具の平面図である。
【図４】同じく図１に示す物掛け具の右側面図である。
【図５】同じく図１に示す物掛け具の底面図である。
【図６】本発明に係る物掛け具の一実施形態において、その使用状態を示す図である。
【図７】図６におけるベルト部材を示す説明図である。
【図８】図６に示した本発明に係る物掛け具において、その両フック部に収納部材を引っ掛けた状態を示す説明図（側面図）である。
【図９】本発明に係る物掛け具の一実施形態において、当該物掛け具を図６に示したベルト部材の係止孔に取り付ける様子を示す説明図である。
【図１０】本発明に係る物掛け具の一実施形態において、（ａ）図は他の使用状態を示す説明図であり、（ｂ）図は、（ａ）図におけるＰで示した箇所の拡大図である。
【図１１】同じく使用状態を示す図である。
【図１２】従来のフックの一例を示す説明図である。
【図１３】同じくフックの一例を示す説明図である。
【図１４】従来のフックの他の一例を示す説明図である。
【図１５】図１４におけるフックの取り付け位置を拡大して示した説明図（側面図）である。
【発明を実施するための形態】
【００１４】
以下、本発明を実施するための形態を、図面に基づいて詳細に説明する。
【００１５】
図１〜５は、本発明に係る物掛け具の一実施形態を示している。これらの図面に示すように、物掛け具１は、正面視で山なり形状ないし逆Ｕ字状に形成された係止部２と、該係止部２の両側に形成されたフック部３、３とを備えている。この実施形態においては、フック部３、３は、係止部２の両端から連なるようにして形成されるとともに、略Ｕ字状となされており、これにより、物掛け具１は、１本の円柱状の線材を曲げたような形状であって、正面視で略Ｗ字状となされている。この物掛け具１は、合成樹脂材料で一体的に形成されており、この実施形態においては、物掛け具１はＡＢＳ樹脂により形成されているが、所定の強度を備えていれば任意の合成樹脂材料を使用してよく、あるいは金属材料、木材その他任意の材料により作製するようにしてもよい。
【００１６】
尚、上記「１本の円柱状の線材を曲げたような形状であって」と記載しているが、必ずしも一本の線材により作成される必要はなく、例えば係止部２とフック部３、３とをそれぞれ別部材として形成した上で、それらを連結して「一本の線材を曲げたような形状」にするようにしてもよい。
【００１７】
また、物掛け具１のフック部３、３の先端部近傍にはそれぞれ返し部４が突設されている。この返し部４は、この実施形態においては、フック部３の先端部近傍の円柱形状外周面から半径方向外側へ、かつ略Ｕ字形状の内側方向へ突出する突出片により構成されており、物掛け具１のフック部３と一体的に形成されている。この返し部４を設けたことで、フック部３、３に引っ掛けて吊るした物品等がフック部３、３から脱落し難いようになされている。
【００１８】
そして、この物掛け具１は、例えば図６にあるように、スチールラックＲに取り付けられて使用される収納具Ｋに取り付けられ、使用される。尚、この収納具Ｋは、スチールラックＲの棚材Ｒ１に複数のベルト部材Ｂを巻きつけるようにして吊るし、これらのベルト部材Ｂ間に収納部材Ｓ１を差し渡すように取り付けて、当該収納部材Ｓ１に様々な物品を収納できるようにしたものである。
【００１９】
ベルト部材Ｂには複数の係止孔Ｂ１１が形成され、前記各収納部材Ｓ１はこのベルト部材Ｂに形成された係止孔Ｂ１１に着脱自在に取り付けられるものである。そして、このように着脱自在に取り付けるために、物掛け具１が用いられている。図６に示す実施形態においては、収納部材Ｓ１を吊り下げるために物掛け具１が使用され、これにより、物掛け具１を介してスチールラックＲの側面部の外側面に収納部材Ｓ１が吊り下げられ、この収納部材Ｓ１に様々な物品を収容し、整理することができるものとしている。すなわち、スチールラックＲの側面部の外側面に突出した一方のフック部３に収納部材Ｓ１を吊り下げることによって、収納部材Ｓ１は物掛け具１を介してベルト部材Ｂに取り付けられる。
【００２０】
また、同じく図６に示すように、収納具Ｋの背面側には、物掛け具１のもう一方のフック部３が突出しており、このフック部３に小物などを吊るして収納することができる。或いは、図７の説明図に示すように、上記図６における収納具Ｋの背面側に突出するフック部３に収納部材Ｓ２を吊り下げるようにしてもよい。これにより、収納具Ｋの表裏両面の空間部を有効に活用して、物品を整理し、収納することが可能となる。
【００２１】
次に、この実施形態における物掛け具１をベルト部材Ｂの係止孔Ｂ１１へ取り付ける手順について説明する。
【００２２】
図８に示すように、この実施形態におけるベルト部材Ｂは、可撓性の材料により形成されたベルト本体Ｂ１２に適宜間隔を明けて係止孔Ｂ１１が形成されると共に、ベルト本体Ｂ１２の一端部には環状部材Ｃが設けられている。このベルト部材Ｂは、ベルト本体Ｂ１２をスチールラックＲの棚材Ｒ１に巻きつけ、環状部材Ｃにベルト本体Ｂ１２の他端部を挿通させた後、下方に引っ張るようにして、図６に示すような状態にベルト部材Ｂを取り付けられるものである。
【００２３】
そして、物掛け具１は、図９に示すような手順でベルト部材Ｂの係止孔Ｂ１１に取り付けられ、係止される。すなわち、先ず図９（ａ）に示すように物掛け具１の一方のフック部３の先端部を係止孔Ｂ１１に挿通させ、そのまま図９（ｂ）〜（ｄ）に示すように、物掛け具１の略中央部、すなわち係止部２のところまで挿通させてゆく。そして、係止部２の中央部を係止孔Ｂ１１の下端部のところに載置するようにして、図９（ｅ）に示すような状態で係止させる。これにより、物掛け具１はベルト部材Ｂに取り付けられ、当該物掛け具１のフック部３に様々な収納部材や小物などの物品を引っ掛けて吊るすようにして、様々な物品を収納することができる。
【００２４】
また、この物掛け具１は、上記のような収納具Ｋのベルト部材Ｂに限らず、他の場所への取り付けも可能である。図６に示したスチールラックＲの例でいえば、ベルト部材Ｂに取り付けるだけでなく、図１０〜１１に示すように、直接スチールラックに取り付けるようにしてもよい。すなわち、スチールラックＲの棚材Ｒ１におけるメッシュ部分（孔の部分）に物掛け具１を挿通させ（図１０）、係止部２を当該棚材のメッシュ部分に係止させるようにすることができる。この物掛け具の両フック部３、３のそれぞれに、図１１に示すように、例えば収納部材Ｓ３、Ｓ３を引っ掛けて吊るし、この収納部材Ｓ３に様々な物品を収容することができる。
【００２５】
尚、この物掛け具１が取り付けられる個所は、上述したベルト部材Ｂの係止孔Ｂ１１や、スチールラックＲのメッシュ部分に限られるものでない。当該物掛け具１が取り付けられる個所の表裏両面にそれぞれ空間部があり、その表裏両面の空間部同士を接続する孔部があれば、この孔部に本発明に係る物掛け具を挿通させ、係止部を係止させて、前記各空間部を利用して様々な物品を引っ掛け、整理することができる。
【００２６】
以上がこの実施形態における物掛け具１についての説明であるが、言うまでもなく、本発明に係る物掛け具はこの実施形態に限られるものではなく、本発明の趣旨を逸脱しない範囲で様々に形態その他の構成を変更することが可能なものである。
【符号の説明】
【００２７】
１    物掛け具
２    係止部
３    フック部
４    返し部
Ｋ    収納具
Ｒ    スチールラック
【図１】
2011234764.tif 000003
【図２】
2011234764.tif 000004
【図３】
2011234764.tif 000005
【図４】
2011234764.tif 000006
【図５】
2011234764.tif 000007
【図６】
2011234764.tif 000008
【図７】
2011234764.tif 000009
【図８】
2011234764.tif 000010
【図９】
2011234764.tif 000011
【図１０】
2011234764.tif 000012
【図１１】
2011234764.tif 000013
【図１２】
2011234764.tif 000014
【図１３】
2011234764.tif 000015
【図１４】
2011234764.tif 000016
【図１５】
2011234764.tif 000017